(57)【要約】  【課題】ステープルのような綴じ具にＩＣチップが固定されていると、一旦綴じ具を取り外すと、ＩＣチップの再利用が困難である。  【解決手段】物品を識別する物品識別子を記憶する物品識別子記憶媒体（２）を物品に取り付けるための物品識別子記憶媒体取付方法であって、物品識別子記憶媒体（２）を有してなる部材（３）を取付具（１）の打ち込み方向における取付具（１）と物品（４）との間に位置させ、取付具（１）の一部を部材（３）に貫通させて物品（４）に打ち込むことにより物品識別子記憶媒体（２）を物品に固定させる。【選択図】  図４
2004318812.tif 000002
【特許請求の範囲】
【請求項１】
物品を識別する物品識別子を記憶する物品識別子記憶媒体を物品に取り付けるための物品識別子記憶媒体取付方法であって、
物品識別子記憶媒体を有してなる部材を取付具の打ち込み方向における取付具と物品との間に位置させ、
取付具の一部を部材に貫通させて物品に打ち込むことにより物品識別子記憶媒体を物品に固定させることを特徴とする物品への物品識別子記憶媒体の取付方法。
【請求項２】
物品を識別する物品識別子を記憶する物品識別子記憶媒体を物品に取り付けるための物品識別子記憶媒体取付方法であって、
物品識別子記憶媒体を有してなる部材を物品の近傍に位置させ、
取付具の一部を物品に打ち込むことにより取付具が部材を物品側に押さえ込むことで物品識別子記憶媒体を物品に固定させることを特徴とする物品への物品識別子記憶媒体の取付方法。
【請求項３】
部材が、印刷領域を有してなることを特徴とする請求項１又は２記載の物品への物品識別子記憶媒体取付方法。
【請求項４】
部材が、取付具の一部が貫通する際に変形しない硬さを有する平板状部材であることを特徴とする請求項１記載の物品への物品識別子記憶媒体取付方法。
【請求項５】
部材が、取付具の一部が貫通するための貫通孔を備えることを特徴とする請求項１又は３記載の物品への物品識別子記憶媒体取付方法。
【請求項６】
部材が、取付具の一部が貫通するための貫通孔と、取付具の打ち込みにより脱落する貫通孔閉鎖材とを備えることを特徴とする請求項１又は４記載の物品への物品識別子記憶媒体取付方法。
【請求項７】
部材が、保形性を有する素材からなることを特徴とする請求項１、２、３、５又は６記載の物品への物品識別子記憶媒体取付方法。
【請求項８】
部材が狭窄部を有し、取付具の一部がその狭窄部の近傍に位置するようにして取付具を打ち込むことを特徴とする請求項２記載の物品への物品識別子記憶媒体の取付方法。
【請求項９】
取付具が、ステープルであることを特徴とする請求項１、２、３、４、５、６、７又は８記載の物品への物品識別子記憶媒体取付方法。
【請求項１０】
物品を識別する物品識別子を記憶する物品識別子記憶媒体を物品に取り付けるための取付装置であって、
物品識別子記憶媒体を有してなる部材を取付具の打ち込み方向における取付具と物品との間に位置させ得るように供給する媒体取付材供給手段と、
媒体取付材供給手段により位置された部材に取付具の一部を貫通させて取付具を物品に打ち込むことにより物品識別子記憶媒体を固定させる取付具打ち込み手段とを備えることを特徴とする物品への物品識別子記憶媒体取付装置。
【請求項１１】
物品を識別する物品識別子を記憶する物品識別子記憶媒体を物品に取り付けるための物品識別子記憶媒体取付装置であって、
部材に取り付けられる物品識別子記憶媒体の物品識別子を読み取る識別子読み取り手段と、
取付具の一部を物品に打ち込んで部材を物品に固定させて物品識別子記憶媒体を物品に固定させる取付具打ち込み手段とを備えることを特徴とする物品への物品識別子記憶媒体取付装置。
【請求項１２】
物品を識別する物品識別子を記憶する物品識別子記憶媒体を物品に取り付けるための物品識別子記憶媒体取付装置であって、
物品識別子記憶媒体を有してなる部材が物品の近傍に位置するように供給する部材供給手段と、
取付具の一部を物品に打ち込んで取付具が部材を物品側に押さえ込むことで物品識別子記憶媒体を物品に固定させる取付具打ち込み手段とを備えることを特徴とする物品への物品識別子記憶媒体取付装置。
【請求項１３】
部材が印刷領域を有してなり、印刷領域に情報を印刷する印刷手段をさらに備えてなることを特徴とする請求項１０、１１又は１２記載の物品への物品識別子記憶媒体取付装置。
【請求項１４】
部材が、取付具の一部が貫通する際に変形しない硬さを有する平板状部材であることを特徴とする請求項１０又は１１記載の物品への物品識別子記憶媒体取付装置。
【請求項１５】
部材が、取付具の一部が貫通するための貫通孔を備えることを特徴とする請求項１０、１１又は１４記載の物品への物品識別子記憶媒体取付装置。
【請求項１６】
部材が、取付具の一部が貫通するための貫通孔と、取付具の打ち込みにより脱落する貫通孔閉鎖材とを備えることを特徴とする請求項１０、１１又は１４記載の物品への物品識別子記憶媒体取付装置。
【請求項１７】
部材が、保形性を有する素材からなることを特徴とする請求項１０、１１、１２、１３、１５又は１６記載の物品への物品識別子記憶媒体取付装置。
【請求項１８】
部材が狭窄部を有し、取付具の一部がその狭窄部の近傍に位置するようにして取付具を打ち込むことを特徴とする請求項１２記載の物品への物品識別子記憶媒体取付装置。
【請求項１９】
取付具が、ステープルであることを特徴とする請求項１０、１１、１２、１３、１４、１５、１６、１７又は１８記載の物品への物品識別子記憶媒体取付装置。
【請求項２０】
部材が、物品に対する装着手段を備える請求項１又は２記載の物品への物品識別子記憶媒体取付方法。
【請求項２１】
物品を識別する物品識別子を記憶する物品識別子記憶媒体を物品に取り付けるための物品識別子記憶媒体取付方法であって、
物品識別子記憶媒体を有してなる部材を物品に接触させ、
押圧具により部材と物品とを相寄るように押圧して物品識別子記憶媒体を物品に固定させることを特徴とする物品への物品識別子記憶媒体取付方法。
【発明の詳細な説明】
【技術分野】
【０００１】
本発明は、物品への物品識別子記憶媒体取付方法及びその取付装置に関するものである。
【背景技術】
【０００２】
従来、例えばバーコードを印刷したシールを書類に貼ったり、特許文献１に示されるような、記憶された書類に関する情報を非接触で読み書きできるＩＣチップを備える綴じ具つまりステープルにより書類を綴じて、バーコードやＩＣチップに記憶された書類に関する情報により書類を管理することが知られている。
【特許文献１】特開２００３−７６９６１号公報
【発明の開示】
【発明が解決しようとする課題】
【０００３】
ところが、上記したステープルにあっては、書類をコピーする際にステープルを取り外すと、ＩＣチップはステープルに取り付けてあるために再びそのステープルで書類を綴じることが困難であり、書類の管理に支障を来すことになった。このような事態を回避するために、書類をステープルで綴じたままコピーしようとすると、書類を綴じてある部分の近傍で折り返して１枚ずつコピーしなければならず、非常に手間のかかる作業となった。
【０００４】
そこで本発明は、以上のような問題に鑑みて、物品を識別するための物品識別子を記憶する情報記憶媒体を有効に再利用し得るように構成するものである。
【課題を解決するための手段】
【０００５】
すなわち、本発明の物品への物品識別子記憶媒体の取付方法は、物品を識別する物品識別子を記憶する物品識別子記憶媒体を物品に取り付けるための物品識別子記憶媒体取付方法であって、物品識別子記憶媒体を有してなる部材を取付具の打ち込み方向における取付具と物品との間に位置させ、取付具の一部を部材に貫通させて物品に打ち込むことにより物品識別子記憶媒体を物品に固定させることを特徴とする。
【０００６】
また、本発明の物品への物品識別子記憶媒体の取付装置は、物品を識別する物品識別子を記憶する物品識別子記憶媒体を物品に取り付けるための取付装置であって、物品識別子記憶媒体を有してなる部材を取付具の打ち込み方向における取付具と物品との間に位置させ得るように供給する媒体取付材供給手段と、媒体取付材供給手段により位置された部材に取付具の一部を貫通させて取付具を物品に打ち込むことにより物品識別子記憶媒体を固定させる取付具打ち込み手段とを備えることを特徴とする。
【０００７】
物品識別子記憶媒体とは、ユニークな数字列、数字列以外の文字列、記号列、または数字、アルファベット、その他の文字及び記号を組み合わせて得られる文字列あるいは記号含有文字列からなる物品識別子を記憶するものであればよく、その物品識別子が非接触で読み取れる構成のものと、接触して読み取れる構成のものとを含むものである。非接触で物品識別子を読み取る構成の物品識別子記憶媒体としては、光学的に物品識別子が読み取れるバーコード、電磁波を利用して物品識別子を読み取るＲＦＩＤ（無線自動識別タグ）などがある。又、接触で物品識別子を読み取る構成の物品識別子記憶媒体としては、内部のＩＣと電気的に接続し得る電極を露出させたＩＣカード、磁気的に物品識別子を記憶させた磁気カード及び磁気テープなどがある。
【０００８】
このような構成によれば、物品識別子記憶媒体を有する部材と取付具とが別体になっているので、取付具を物品に打ち込んだ後に取付具を取り外しても、部材を再利用できる。特に、物品が書類であり、取付具により書類を綴るものでは、書類の綴りを解除した場合に、取付具が再利用できなくとも部材は取付具とは別体であるので、新たな取付具により書類を綴るとともに、物品識別子記憶媒体を書類に付することが可能になる。したがって、物品識別子記憶媒体の使用効率を向上させることが可能になる。
【０００９】
部材が、印刷領域を有してなるものであれば、物品に関する情報や社名などを印刷することが可能になる。したがって、部材に付加価値をつけることができる。なお、本願発明において、印刷領域とは、物品に関する情報や社名などを印刷又は押印することが可能な領域を指すものである。また、この印刷領域は繰り返し書き換えが可能なシート状の素材を用いて形成されるものが好ましい。このような素材を採用することにより、部材を再利用する際に新たな情報の印刷などをすることが可能になり、物品識別子記憶媒体の使用効率を向上させることが可能になる。
【００１０】
また、部材が、取付具の一部が貫通する際に変形しない硬さを有する平板状部材であれば、部材の耐久性を向上させることができ、再利用の可能性を高くすることができる。加えて、部材が、取付具の一部が貫通するための貫通孔と、取付具の打ち込みにより脱落する貫通孔閉鎖材とを備えるものであれば、容易に再利用ができる。
【００１１】
このような部材に対しては、取付具としてステープルが好ましい。このようにステープルであれば、物品が書類である場合に、書類を綴じるのと同時に書類に物体識別子記憶媒体を付することができる。
【００１２】
部材が印刷領域を有してなるものである場合、物品識別子記憶媒体取付装置としては、上記の構成に加えさらに、印刷領域に情報を印刷する印刷手段を備えてなるものが好ましい。
【００１３】
加えて、本発明の物品への物品識別子記憶媒体の取付方法は、物品を識別する物品識別子を記憶する物品識別子記憶媒体を物品に取り付けるための物品識別子記憶媒体取付方法であって、物品識別子記憶媒体を有してなる部材を物品の近傍に位置させ、取付具の一部を物品に打ち込むことにより取付具が部材を物品側に押さえ込むことで物品識別子記憶媒体を物品に固定させることを特徴とする。
【００１４】
また、本発明の物品への物品識別子記憶媒体取付装置は、物品を識別する物品識別子を記憶する物品識別子記憶媒体を物品に取り付けるための物品識別子記憶媒体取付装置であって、物品識別子記憶媒体を有してなる部材が物品の近傍に位置するように供給する部材供給手段と、取付具の一部を物品に打ち込んで取付具が部材を物品側に押さえ込むことで物品識別子記憶媒体を物品に固定させる取付具打ち込み手段とを備えることを特徴とする。
【００１５】
このような構成であれば、物品識別子記憶媒体の固定において、部材を取付具が貫通しない、つまり部材は取付具により物品に押し付けられるのみであるので、物品識別子記憶媒体を再利用する際に取付具と部材とを容易に分離して分別回収することが可能になる。したがって、再利用の効率を向上させることが可能になる。
【００１６】
このような構成において、部材が狭窄部を有し、取付具の一部がその狭窄部の近傍に位置するようにして取付具を打ち込むものが好ましい。すなわち、狭窄部とは、他の部分より幅が狭くなる部位を指すもので、幅方向の少なくとも一方の縁に切欠あるいは凹部を備えることにより形成されるものや、部材のほぼ中央部分の幅寸法が両端部分の幅寸法よりも小であるものなどを含むものであってよい。このように狭窄部を備えるものでは、狭窄部を横切って取付具が部材を押さえ込むことにより、取り付けられた状態での部材の位置ずれを確実に防止することが可能になる。
【００１７】
以上のような構成において、部材が保形性を有する素材からなるので、一旦物品に部材を固定した後に取り外しても、形状を保持しているので、再利用の可能性を高くすることができる。なお、保形性を有する素材とは、取付具を貫通あるいは押さえ込んだ場合でも破壊されないとともに、貫通あるいは押さえ込みによる変形の後に変形に寄与した力を取り除いた場合に元の形状に戻る性質を有するものを含むものである。
【００１８】
さらに、本発明の物品への物品識別子記憶媒体取付装置は、物品を識別する物品識別子を記憶する物品識別子記憶媒体を物品に取り付けるための物品識別子記憶媒体取付装置であって、部材に取り付けられる物品識別子記憶媒体の物品識別子を読み取る識別子読み取り手段と、取付具の一部を物品に打ち込んで部材を物品に固定させて物品識別子記憶媒体を物品に固定させる取付具打ち込み手段とを備えることを特徴とする。
【００１９】
このような構成によれば、識別子読み取り手段により物品に固定される物品識別子記憶媒体の物品識別子を読み取るので、使用に先立って管理されていない物品識別子記憶媒体を使用する場合であっても、容易に使用に際して物品識別子を管理することが可能になる。
【００２０】
取付位置での位置ずれを抑制するためには、部材が、物品に対する装着手段を備えるものが好ましい。装着手段としては、押圧あるいは押圧加熱により接着性能を発揮する接着層が挙げられる。
【００２１】
さらにまた本願発明の物品への物品識別子記憶媒体取付方法は、物品を識別する物品識別子を記憶する物品識別子記憶媒体を物品に取り付けるための物品識別子記憶媒体取付方法であって、物品識別子記憶媒体を有してなる部材を物品に接触させ、押圧具により部材と物品とを相寄るように押圧して物品識別子記憶媒体を物品に固定させることを特徴とする。このような構成であれば、例えば物品が書類である場合に、取付具なしに物品識別子記憶媒体を書類に固定することができる。部材としては、いわゆる紙ホチキスを使用し得る強度を有するもの、粘着性あるいは熱圧着性を有するシールなどが挙げられる。
【発明の効果】
【００２２】
本発明は、以上に説明したように、物品識別子記憶媒体を有する部材と取付具とが別体になっているので、取付具を物品に打ち込んだ後に取付具を取り外しても、部材を再利用できる。特に、物品が書類であり、取付具により書類を綴るものでは、書類の綴りを解除した場合に、取付具が再利用できなくとも部材は取付具とは別体であるので、新たな取付具により書類を綴るとともに、物品識別子記憶媒体を書類に付することができる。したがって、物品識別子記憶媒体の使用効率を向上させることができる。
【発明を実施するための最良の形態】
【００２３】
以下、本発明の一実施形態を、図面を参照して説明する。
【００２４】
図１に示すこの実施形態の物品識別子記憶媒体取付装置（以下、取付装置と称する）１００は、取付具であるステープル１を用いて、情報記憶媒体であるＩＣチップ２を有してなる部材である媒体取付部材３を物品である書類４に密着させて取り付けるように構成されたものである。このＩＣチップ２は、書類４を識別するための物品識別子である書類識別子を記憶しており、非接触、例えば電磁波を用いて書類識別子を読み出せる構成である。なお、ＩＣチップ２自体は、当該分野で知られたものを広く用いることができ、また書類識別子についても種々のデータ形式を採用することができる。すなわち、ＩＣチップ２は、例えばＲＦＩＤであり、電磁波の送受信のためのアンテナを内蔵するものと、外付けのもののいずれであってもよく、書類識別子を記憶し、外部からの要求に応じて記憶している書類識別子を送信し得る構成である。
【００２５】
媒体取付部材３は、図２に示すように、短冊形状をした厚紙製のもので、ステープル１の胴部分１ａの縦横寸法より大きな縦横寸法を有し、胴部分１ａの両端から下方にほぼ直角に折り曲げられたステープル１の一部である脚部分１ｂが貫通する際に容易に変形せず、また容易に貫通される硬さを有している。この媒体取付部材３は、ステープル１の脚部分１ａが貫通する孔をあらかじめ有するものではなく、ステープル１により貫通孔が形成される。そして、この媒体取付部材３は、そのほぼ中央にＩＣチップ２が取り付けてあり、複数が容易に分離するように、つまり各媒体取付部材３がミシン目を介して連結される構成である。この実施形態の媒体取付部材３にあっては、印刷領域を備えていないものである。
【００２６】
取付装置１００は、下端部に書類挿入口１０１を備える外筺１０２を備えてなり（図１）、その外筺１０２内に、ＣＰＵ１０３、内部メモリ１０４、Ｉ／Ｏインターフェース１０５、ステープル綴じ込み装置１０６及び媒体取付部材供給装置（以下、部材供給装置と称する）１０７を備える構成である（図３）。
【００２７】
内部メモリ１０４には、ステープル綴じ込み装置１０６及び部材供給装置１０７を制御するための制御プログラムが格納してある。そして、制御プログラムをＣＰＵ１０３が実行することにより、部材供給装置１０７が媒体取付材供給手段として、ステープル綴じ込み装置１０６が取付具打ち込み手段としてそれぞれ機能するものである。
【００２８】
Ｉ／Ｏインターフェース１０５は、ＣＰＵ１０３が制御プログラムを実行して出力する命令に対応して、ステープル綴じ込み装置１０６及び部材供給装置１０７を駆動するための各駆動信号を出力するとともに、ステープル綴じ込み装置１０６及び部材供給装置１０７から出力される待ち状態を示す信号や動作完了を示す信号などをＣＰＵ１０３が読み取り可能な信号に変換する。
【００２９】
ステープル綴じ込み装置１０６は、いわゆる電動ステープラとして当該分野で知られているものと同等の機能を有するもので、帯状に連結された複数のステープル１のうちの１本分が打ち出し口１０６ａに位置するように打ち出し口１０６ａに向かって動くように力が与えてあり、打ち出し口１０６ａに位置する１本のステープル１を、書類４と媒体取付部材３とに対して打ち込むように構成してある。ステープル１の打ち込みは、外筺１０２に取り付けられた開始押しボタンスイッチ１０８を操作することにより、部材供給装置１０７が作動した後に実行されるように構成してある。
【００３０】
部材供給装置は１０７、ステープル１の送り出しに同期して媒体取付部材３を、書類４とステープル１との間の位置に送り出すものである。この場合に部材供給装置１０７は、媒体取付部材３が書類４に宛われるように送り出すもの、あるいは打ち出し口１０６ａにあるステープル１直下近傍の位置に送り出するものなど、ステープル１の打ち出し方向において挿入された書類４より上側のステープル１までの位置に媒体取付部材３を送り出すものあってよい。
【００３１】
内部メモリ１０４に格納される制御プログラムすなわちステープル打ち込み処理ルーチンの概略を、図４により説明する。この制御プログラムは、開始押しボタンスイッチ１０８から出力される出力信号により実行される。なお、書類４を綴じるにあたって、取付装置１００内の部材供給装置１０７に媒体取付部材３を充填し、またステープル綴じ込み装置１０６にステープル１を充填しておくものである。
【００３２】
まず、ステップＳ１において、開始押しボタンスイッチ１０８が操作されて開始押しボタンスイッチ１０８から出力信号が出力されたか否かを判定する。出力信号が出力された場合は、ステップＳ２において、部材供給装置１０７を駆動する。この場合に、媒体取付部材３の寸法が判明しているので、媒体取付部材３の送り出し量を媒体取付部材３の寸法に合わせて設定しておくことにより、媒体取付部材３は打ち出し口１０６ａにあるステープル１と書類４との間に位置させることができる。つまり、媒体取付部材３が所定の位置まで送り出されたことの確認は、部材供給装置１０７における送り出し量を検出して行うもので、実際に送り出された媒体取付部材３自体を検知して行うものではない。このような構成とすることにより、媒体取付部材３を検知するためのセンサを省略することができる。
【００３３】
次に、ステップＳ３において、ステープル綴じ込み装置１０６を駆動する。これによって、打ち出し口１０６ａに位置するステープル１が媒体取付部材３と書類４に対して打ち出される。この場合に、媒体取付部材３はステープル１の直下にあるので、ステープル１が打ち出されるとまず媒体取付部材３がステープル１の脚部分１ｂにより貫通される。その後、ステープル１が書類４を貫通した後その脚部分１ｂが内側に向かって互いに相寄るようにして曲がり、書類４を綴じるのと同時に媒体取付部材３が書類４に密着固定、したがってＩＣチップ２が書類４に固定されるものとなる。そして、この実施形態においては、ＩＣチップ２が媒体取付部材３の中央部に取り付けてあり、ステープル１がそのＩＣチップ２に重なり合って書類４を綴じるものである。
【００３４】
以上にように、書類４を書類挿入口１０１に挿入した後、開始押しボタンスイッチ１０８を操作すると、図５の（ａ）に示すように、部材供給装置１０７により媒体取付部材３がステープル１の打ち込み方向におけるステープル１と書類４との間の所定位置まで送り出される。つまり、部材供給装置１０７は、媒体取付部材３を所定位置に位置させ得るように供給するものである。なお、この図５の（ａ）では、ステープル１を示すために、その脚部分１ｂを打ち出し口１０６ａから突出させて図示しているが、実際にはステープル１を打ち出すまで突出しないものである。この後、図５の（ｂ）に示すように、ステープル１が媒体取付部材３と書類４とに打ち込まれて、媒体取付部材３が書類４に密着固定されることによりＩＣチップ２が書類４に付されるので、書類４を綴じることとＩＣチップ２の書類４への取付を同時に行うことができる。
【００３５】
また、ステープル１が、書類４を媒体取付部材３とともに綴じているため、綴じ部分が媒体取付部材３により補強された形になるので、ステープル１により書類４が損傷することを防止することができる。
【００３６】
さらに、ＩＣチップ２は媒体取付部材３に取り付けられているので、例えば書類４をコピーする際にステープル１を取り外して廃棄しても、媒体取付部材３を廃棄しない限り再度この媒体取付部材３をステープル１で書類４に取り付けることにより、書類４をコピーする前の状態に復元することができる。
【００３７】
なお、第一の実施形態にあっては、媒体取付部材３を書類４の上面に取り付けるものを説明したが、媒体取付部材３は書類４の下面（裏面）に取り付けられるものであってもよい。この場合、ステープル１を上述のように書類４の上方から書類４に打ち込むものにあっては、上述のようにして媒体取付部材３が裏面の所定位置に供給され、ステープル１が書類４を貫通した後媒体取付部材３を貫通し、その脚部分１ｂが折り曲げられて媒体取付部材３の下側に位置する。したがって、媒体取付部材３は、ステープル１の打ち込み方向において、折り曲げられたステープル１の脚部分１ｂと書類４との間、すなわちステープル１と書類４との間に位置するものとなる。このように、媒体取付部材３を書類４に裏面側に取り付けるものでは、折り曲げられたステープル１の脚部分１ｂにより書類４が破れやすくなることを防止することができる。また、媒体取付部材３を書類４の下側（裏面側）に位置させるものでは、ステープル１を書類４の下側から書類４に対して打ち込むものであってもよい。
【００３８】
次に第二の実施形態を説明する。
【００３９】
この第二の実施形態では、上記の構成に加えて、図６及び図７に示すように、取付装置２００が、印刷装置２０９、画面出力装置２１０及び選択入力装置２１１を備える構成である。この取付装置２００は、書類挿入口２０１を備える外筺２０２の正面２０２ａに、画面出力装置２１０の表示画面２１０ａと選択入力装置２１１を構成する選択ダイヤル２１１ａと選択ボタン２１１ｂとを供えている。また、媒体取付部材３Ａは、上記実施形態とは異なり、図８に示すように、媒体取付部材３Ａの送り出し方向の前側位置に印刷領域３Ａａを備えている。そのため、媒体取付部材３Ａは、上記実施形態のものより連結方向における寸法が大きくなっている。そして、印刷領域３Ａａを除いた部分の中央部にＩＣチップ２が取り付けてある。印刷領域３Ａａには、その書類４の内容が一目で確認できるような情報などを印刷するものである。
【００４０】
この実施形態の内部メモリ２０４には、ステープル綴じ込み装置２０６、部材供給装置２０７、印刷装置２０９、画面出力装置２１０及び選択入力装置２１１を制御するための制御プログラムが格納してあるとともに、後述する選択入力装置２１１のための文字などのデータが格納してある。そして、制御プログラムをＣＰＵ２０３が実行することにより、部材供給装置２０７が媒体取付材供給手段として、ステープル綴じ込み装置２０６が取付具打ち込み手段として、さらに印刷装置２０９が印刷手段としてそれぞれ機能するものである。なお、ステープル綴じ込み装置２０６、部材供給装置２０７及び開始押しボタンスイッチ２０８は、上記実施形態と同じ構成であり、Ｉ／Ｏインターフェース２０５については印刷装置２０９との信号の授受を行えるように構成してある。
【００４１】
印刷装置２０９は、例えばインクジェット式のもので、文字や画像などを、媒体取付部材３Ａに設定された印刷領域３Ａａに印刷するものである。この実施形態では、印刷は、媒体取付部材３Ａが書類４に密着固定された後に実行される。印刷する情報としては、例えば後述する選択入力装置２１１により入力される書類名、作成日、部署名などの書類を管理する場合に目視したい書類管理項目により構成すればよい。印刷装置２０９としては、ドットインパクト式や、感熱式のものであってもよい。
【００４２】
画面出力装置２１０は、表示画面２１０ａとしての例えば液晶表示パネルを備えてなり、内部メモリ２０４に記憶された、アルファベット、仮名、数字などの文字、記号及びシンボルなどを一覧表にして表示するとともに、その表示された一覧表から選択入力装置２１１により選択されたものを、例えば液晶表示パネルの一覧表の表示領域よりも上側の表示領域に表示するものである。
【００４３】
選択入力装置２１１は、画面出力装置２１０に表示された一覧表から例えば文字を選択する選択ダイヤル２１１ａと、選択ダイヤル２１１ａで選択された文字の選択入力を確定させる選択ボタン２１１ｂとを備えている。
【００４４】
このような構成において、媒体取付部材３Ａに例えばその書類４の名前あるいはファイル名を印刷する場合の、印刷する情報の入力及び印刷制御についての制御プログラムの概略を、図９により説明する。なお、媒体取付部材３Ａの送り出し、及びステープル１の打ち込みについての制御は、上記実施形態と同じであるので説明を省略する。
【００４５】
まず、媒体取付部材３Ａを書類４に密着固定するに先立って、ステップＳ１１において、印刷する情報（以下、印刷情報と称する）の入力を受け付ける。印刷情報の入力作業は、画面出力装置２１０における表示画面２１０ａに表示された文字（カタカナ、アルファベット、数字など）を、選択ダイヤル２１１ａを操作してカーソルを移動し、文字を確認した後にカーソル位置にある文字を選択ボタン２１１ｂを操作して文字を確定することで終了する。印刷情報は、書類名、管理場所、作成日、作成者名、キーワードなど、書類により変更しなければならない情報が主であり、会社名や住所、あるいはロゴなどの定型的なものを、書類名などとともに印刷するものであってよい。そして、ステップＳ１２において、入力された印刷情報を、一旦内部メモリ２０４に記憶する。
【００４６】
この後、ステップＳ１３において、上記実施形態において説明したステープル打ち込み処理ルーチンを実行する。今ステープル打ち込み処理ルーチンを実行することにより、媒体取付部材３Ａが書類４に密着固定される。このようにして媒体取付部材３Ａが書類４に取り付けられた直後に、ステップＳ１４において、ＣＰＵ２０３は内部メモリ２０４から印刷情報を読み出し、印刷装置２０９を駆動して印刷情報を媒体取付部材３Ａの印刷領域３Ａａに印刷する。
【００４７】
したがって、書類４を綴じる際に、ＩＣチップ２を有する媒体取付部材３Ａの印刷領域３Ａａに書類名などの印刷情報が印刷されるので、目視により書類４を
識別することができる。また、ＩＣチップ２を書類４に付することになるので、ＩＣチップ２に記憶された書類識別子を読み出すことによって書類４をコンピュータを用いて管理することができ、書類管理の利便性を向上させることができる。
【００４８】
上記実施形態にあっては、印刷領域３Ａａに対してインクジェット式の印刷装置２０９で印刷情報などを印刷するものを説明したが、印刷領域３Ａａに、繰り返し書き換えが可能なシート状の素材を適用するものであってよい。この種の素材としては、例えば、ロイコ染料と顕色剤とを有する書き換え層を基層に積層し、書き換え層の表面を保護層で被覆して、加熱により印刷と消去とを可能にしたものが挙げられる。このような印刷領域３Ａａであれば、プリンタによる印刷以外にも、所定の書き込み温度に制御された筆記具や印鑑などにより手書きしたり捺印したりすることをも、繰り返し行えるものとなり、利便性を向上させることができる。なお、印刷とは、上述したような印刷装置を用いるもの以外に、印鑑やスタンプによるナンバーリングや社名表示することなどを含むものである。
【００４９】
なお、上記第二の実施形態においては、媒体取付部材３Ａを書類４に密着固定した後に印刷情報を印刷領域３Ａａに印刷したが、書類４を綴じる前に媒体取付部材３Ａに印刷情報を印刷するものであってよい。この場合の制御プログラムの概要を、図１０により説明する。
【００５０】
ステップＳ２１において、印刷する情報（以下、印刷情報と称する）の入力を受け付ける。ステップＳ２２において、入力された印刷情報を、一旦内部メモリ２０４に記憶する。次に、ステップＳ２３において、開始押しボタンスイッチ２０８が操作されて開始押しボタンスイッチ２０８から出力信号が出力されたか否かを判定する。出力信号が出力された場合は、ステップ２４において、部材供給装置２０７を駆動する。これにより媒体取付部材３Ａが、打ち出し口にあるステープル１と書類４との間に位置する。この場合、媒体取付部材３Ａは、書類４の近傍つまりほぼ書類４に宛われた位置に送り出されるものが好ましい。
【００５１】
このようにして媒体取付部材３Ａが所定位置に送り出された後、ステップＳ２５において、内部メモリ２０４から印刷情報を読み出し、印刷装置２０９を駆動して印刷情報を媒体取付部材３Ａの印刷領域３Ａａに印刷する。そして、印刷装置２０９からＩ／Ｏインターフェース２０５を介して印刷が終了したことを示す信号がＣＰＵ２０３に入力されると、ステップＳ２６において、ステープル綴じ込み装置２０６を駆動する。
【００５２】
なお、このようにステープル１で媒体取付部材３Ａを密着固定する前に印刷を完了するものでは、実質的な印刷領域３Ａａを広げることも可能である。つまり、印刷領域３Ａａはあらかじめ設定しておくものであるが、ステープル１で隠れる印刷領域はごく狭い領域であるので、ステープル１で印刷情報が隠されたとしても、印刷情報を認識する妨げとはなりにくいためである。
【００５３】
また、印刷情報については、書類４毎に入力するのではなく、複数の書類４に対応する複数の印刷情報を連続して入力し、それらを内部メモリ２０４に記憶しておき、印刷に際しては、記憶された複数の印刷情報を画面出力装置２１０に一覧表にして表示し、その表示された印刷情報の中から書類４に対応するものを選択し、選択された印刷情報を印刷するようにしてもよい。
【００５４】
さらに、あらかじめ媒体取付部材３Ａに、例えば会社名や会社のロゴを印刷しておき、取付装置２００においては印刷しない構成であってもよい。
【００５５】
媒体取付部材３Ｂとしては、図１１に示すように、ステープル１の一部すなわち脚部分１ｂが貫通するための貫通孔３Ｂａと、ステープル１の打ち込みにより脱落する貫通孔閉鎖材３Ｂｂとを備え、その中央部にＩＣチップ２が固定してあるものであってよい。すなわち、このような媒体取付部材３Ｂにあっては、ステープル１が打ち込まれた際にステープル１の脚部分１ｂが貫通するに十分な大きさの貫通孔３Ｂａとなるように、所定の大きさの厚紙に対して、貫通孔３Ｂａとなる位置に対をなすほぼ半円の切り込み３Ｂｃを形成し、貫通孔３Ｂａに対して貫通孔閉鎖材３Ｂｂが二点で媒体取付部材３Ｂの本体部分３Ｂｄと連結される構造としてある。なお、図１１にあっては、貫通孔３Ｂａと貫通孔閉鎖材３Ｂｂとの関係をわかりやすくするために、媒体取付部材３Ｂの全体の大きさに対して貫通孔３Ｂａを誇張して図示している。
【００５６】
このように、貫通孔３Ｂａが形成されていることにより、一旦綴じた書類４からステープル１をはずした後に、ＩＣチップ２を再利用することができる。つまり、ＩＣチップ２はステープル１に取り付けてあるものではないので、ステープル１を廃棄してもＩＣチップ２は手元に残っている。しかも、媒体取付部材３Ｂには貫通孔３Ｂａが形成されているので、この媒体取付部材３Ｂを用いて手動でステープル１により媒体取付部材３Ｂと書類４とを綴じることにより、ＩＣチップ２をあらためて書類４に付することができる。したがって、ＩＣチップ２を有効に使用することができ、資源の有効活用に寄与するものである。
【００５７】
また、媒体取付部材３、３Ａ、３Ｂは、上記に説明したような四角形状のものに限定されるものではなく、種々の形状を採用することができる。例えば図１２に示すように、媒体取付部材３Ｃは、本体３Ｃａの一方の端部に円板状部分３Ｃｂを設けて、その円板状部分３Ｃｂにロゴを印刷するものなどである。このような媒体取付部材３Ｃにおいても、上述した貫通孔３Ｂａや印刷領域３Ａａが形成されたものであってよく、上記それぞれの実施形態で説明したものを適宜に組み合わせて採用すればよい。
【００５８】
さらに、媒体取付部材は上述のように、ミシン目で連結されたものとは異なり、１枚ずつが個別になっており、その都度１枚の媒体取付部材が綴じる際の所定位置まで送り出されるものであってもよい。また、媒体取付部材は、上述のような厚みのあるもの以外に、ステープル１により容易に貫通されるものであれば厚みや素材は紙に限定されない。
【００５９】
加えて、上記それぞれの実施形態においては、書類４にＩＣチップ２を付する場合を説明したが、物品としては、例えばダンボール製の箱や、衣類などの布製品、絨毯やカーペットなどの敷物、椅子やソファなどの家具などであってもよい。このような物品に対しては、媒体取付部材供給装置を備えたタッカーを使用してＩＣチップ２を物品に付するものである。この場合、媒体取付部材３が、物品に宛われるように供給されるものが好ましい。
【００６０】
次に、第三の実施形態を説明する。この第三の実施形態では、取付具であるステープル１は、媒体取付部材３Ｄ、３Ｅ、３Ｆを貫通するものではなく、媒体取付部材３Ｄ、３Ｅ、３Ｆを物品である書類４に向かって押さえ付けるように機能して、媒体取付部材３Ｄ、３Ｅ、３Ｆを書類４に固定するものである。このため、媒体取付部材３Ｄ、３Ｅ、３Ｆは、上記各実施形態のものとは異なり、図１３に示すように、例えばその長手方向のほぼ中央部分において、他の部位より幅が狭くなっている狭窄部３ｘを備えるものである。この媒体取付部材３Ｄ、３Ｅ、３Ｆにあっては、ＩＣチップ２をこの狭窄部３ｘ以外の位置において固定し、狭窄部３ｘ以外を印刷領域３Ａａとするものである。なお、この第三の実施形態にあっては、長手（縦）方向のほぼ中央部分に狭窄部３ｘを形成したものを説明したが、幅（横）方向の中央部分の狭窄部３ｘを形成するものであってもよい。
【００６１】
この狭窄部３ｘは、図１３の（ａ）に示すように、一方の側縁に切欠３Ｄａを備えることにより形成されるもの、図１３の（ｂ）に示すように、両側縁に形成された切欠３Ｅａ，３Ｅｂにより形成されるもの、さらには、図１３の（ｃ）に示すように、両側縁が長手方向の中央部分において相互に接近するくぼみ部３Ｆａ，３Ｆｂにより形成されるものである。この狭窄部３ｘの幅寸法は、それ以外の部位の幅寸法よりも小さく、またステープル１の胴部分１ａの長さ寸法したがって脚部分１ｂ間の間隔よりも小さくしてある。このような寸法構成にすることにより、ステープル１が物品に打ち込まれた際にステープル１の脚部分１ｂが狭窄部３ｘの両側に接触するようにしてあるいはその近傍に位置するので、ステープル１が媒体取付部材３Ｄ、３Ｅ、３Ｆを書類４に固定するとその脚部分１ｂと狭窄部３ｘとにより、媒体取付部材３Ｄ、３Ｅ、３Ｆを移動不能にするものである。
【００６２】
このような構成において、取付装置自体の構成は、上記の第一あるいは第二の実施形態のものと同じであってよい。ただし、媒体取付部材３Ｄ、３Ｅ、３Ｆの縦横寸法と狭窄部３ｘとの関係において、ステープル１が書類４に打ち込まれる際にステープル１が狭窄部３ｘを横断するように媒体取付部材３Ｄ、３Ｅ、３Ｆが綴じられる書類４の所定位置に供給されるものである。そして、上述したように、狭窄部３ｘの寸法がステープル１の胴部分１ａの寸法より小さくしてあるので、取付装置を作動させると、ステープル１の脚部分１ｂが狭窄部３ｘの両側を通過して書類４を貫通し、書類４の裏面で折れ曲がって書類４を綴じるとともに媒体取付部材３Ｄ、３Ｅ、３Ｆを書類４に押し付けるようにして、つまりステープル１の胴部分１ａと脚部分１ｂとで挟み込んで保持して書類４に取り付ける。図１４に、媒体取付部材３Ｅをステープル１により固定した状態を示す。
【００６３】
このように、媒体取付部材３Ｄ、３Ｅ、３Ｆはステープル１によりその狭窄部３ｘを横切って挟み込まれるようにして押さえ込まれて書類４に取り付けられるので、強固に位置ずれすることなく取り付けられるとともに、ステープル１を取り外す際にはステープル１が媒体取付部材３Ｄ、３Ｅ、３Ｆを貫通していないので容易に書類３Ｄ、３Ｅ、３Ｆから取り外すことができる。
【００６４】
次に、第四の実施形態について説明する。
【００６５】
この第四の実施形態における取付装置４００は、上記第一の実施形態のものと異なり、媒体取付部材３の部材供給装置を備えておらず、媒体取付部材３を手により物品である書類４に宛ってステープル１により固定するものである。具体的には、図１５に示すように、取付装置４００は、ＣＰＵ４０３、内部メモリ４０４、Ｉ／Ｏインターフェース４０５、ステープル綴じ込み装置４０６、開始押しボタンスイッチ４０８、及びＩＣチップ２内に記憶された書類識別子を読み取る識別子読み取り手段４１２を備えている。この識別子読み取り手段４１２は、具体的には、ＩＣチップ２に向けて例えば２．４５ＧＨｚ帯域の電磁波を発信する動力電磁波発信器４１２ａと、電磁波を受信したＩＣチップ２から送信される信号を受信する受信器４１２ｂとを備えてなり、ＣＰＵ４０３により動力電磁波発信器４１２ａ及び受信器４１２ｂが制御されて、ＩＣチップ２から出力される電磁波により搬送される書類識別子を受信するものである。なお、このような構成の識別子読み取り手段４１２は、上記した第一及び第二の実施形態に適用するものであってよい。
【００６６】
この実施形態にあっては、書類４を綴じる場合に、ＩＣチップ２を有する媒体取付部材３を書類４の綴じ位置に配置し、その書類４を図示しない書類挿入口に挿入した後押しボタンスイッチ４０８を操作してステープル綴じ込み装置４０６を作動させる。この押しボタンスイッチ４０８の操作により動力電磁波発信器４１２ａが電磁波を発信し、そして受信器４１２ｂがＩＣチップ２から発信される信号を受信し、受信した信号からＣＰＵ４０３により書類識別子を読み取り、内部メモリ４０４に保存する。このようにして内部メモリ４０４に記憶された書類識別子は、この取付装置４００と無線あるいは有線により接続される書類識別子の管理装置に出力されるものであってよい。なお、この場合の媒体取付部材３の書類４への固定は、ステープル１の脚部分１ｂが媒体取付部材３を貫通するものと、ステープル１の胴部分１ａが媒体取付部材３Ｄを押さえ込むものとのいずれであってもよい。
【００６７】
このような構成であれば、媒体取付部材３を綴じる書類４の所定の位置に配置した後に取付装置４００により書類４とともに綴じ込むので、一旦書類４から取り除いた媒体取付部材３を再利用する際の利便性を向上させることができる。また、媒体取付部材３に取り付けられたＩＣチップ２に記憶されている書類識別子があらかじめ管理されていないものであっても、媒体取付部材３を書類４に取り付ける際に読み取ることができるので、書類識別子の管理を容易にすることができる。
【００６８】
上記実施形態にあっては、貫通孔３Ｂａと貫通孔閉鎖材３Ｂｂとを有する媒体取付部材３Ｂを説明したが、貫通孔３Ｇａのみを有する媒体取付部材３Ｇ（図１６に示す）であってもよい。貫通孔３Ｇａは、例えば円形で、その中心間距離はステープル１の脚部分１ｂの距離に等しくしてあり、その直径は、脚部分１ｂの太さ寸法より大きく、つまり脚部分１ｂが貫通孔３Ｇａの内側と接触しない大きさにしてある。このように、貫通孔３Ｇａを有して貫通孔閉鎖材を備えないものにおいては、打ち込みの際に貫通孔３Ｇａ内を接触せずにステープル１が通過するので、打ち込みが容易になる。また、ＩＣチップ２を再利用するに際して、取り外しが容易で、しかも貫通孔３Ｇａにステープル１を通すことで書類４を綴じることができるので、ステープル１の打ち込みに要する力が小さくて済み、手動のステープラーによる打ち込みを容易にすることができる。
【００６９】
媒体取付部材としては、上記した板状のステープル１の打ち込みで変形しない硬さを有するもの以外に、打ち込みの際には変形するがステープル１が固定された後は打ち込み前の形状に戻る保形性を有する素材からなるものであってもよい。このような素材としては、例えば軟質プラスチック、ゴム、スポンジ、コルクなどである。
【００７０】
また、媒体取付部材３Ｈとしては、図１７に示すように、上記実施形態の媒体取付部材のＩＣチップ２を固定していない面、つまり物品である書類４の表面に対向する面に、装着手段である接着層３Ｈａを備えるものであってよい。この接着層３ａは、接着剤のマイクロカプセルからなり、ステープル１の打ち込みによる圧力によってマイクロカプセルが破壊されて接着能力が現れる構成である。なお、接着能力は、繰り返し剥がせ、かつ繰り返し貼り付けるに十分なものであればよい。このような構成にすることにより、使用するまで接着層３Ｈａを被覆しておくフィルムや紙などを省略することができ、使用前に接着能力が生じて意図しない部分に接着することを防ぐことができるとともに、廃棄物の増加を防ぐことができる。したがって、上記それぞれの実施形態において、ステープル１を打ち込んで媒体取付部材３Ｈを書類４に取り付けると、接着層３Ｈａが機能し、その位置ずれを防止する。また、書類４が１枚で構成されるものである場合では、ステープル１をから打ちして媒体取付部材３Ｈを押圧により書類４に取り付けることができる。
【００７１】
このような接着層を有する媒体取付部材としては、図１８の（ａ）及び（ｂ）に示すように、断面形状を中央部の厚みが縁部より厚い弓型形状とするとともに、平面形状を円形状としたものであってもよい。すなわち、この媒体取付部材３Ｋにあっては、ＩＣチップ２を内蔵する部材本体３Ｋｂと、部材本体３Ｋｂの一外面に形成される装着手段である接着層３Ｋａとからなる。部材本体３Ｋｂは、例えば合成樹脂製で、内部のＩＣチップ２を電気的に絶縁するとともに、ＩＣチップ２の破壊を防止するに十分な強度を備えるものである。接着層３Ｋａについては、上述のものと同じであってよい。そして、この媒体取付部材３Ｋは、図１８の（ｂ）に示すように、例えば部材本体３Ｋｂと同質の帯状の合成樹脂製フィルム３Ｋｃにより、その複数が相互に分離可能に連結してあり、上述した各実施形態の媒体取付部材と同じに供給されて書類４に取り付けられる。このような構成であれば、媒体取付部材３Ｋを直接に書類４に装着することができるので、書類４が１枚の場合にステープル１の消費を抑制することができる。なお、ＩＣチップ２の取付位置は、ステープル１を打ち込んだ際にステープル１と重なり合わない位置に設定しておく。
【００７２】
なお、上記接着層３Ｈａ，３Ｋａは、押圧により接着性能を発揮するものではなく、加熱押圧することにより接着性能を発揮する接着剤を含むものであってもよい。
【００７３】
また、物品が書類４の場合に限って、いわゆる紙ホチキスと呼ばれる係合構造を用いるものであってもよい。この紙ホチキスは、図１９に示すように、書類４と書類４に重ね合わされた媒体取付部材３Ｍとに切り込みを入れ、切り込みにより形成されたそれぞれの切り込み片を絡み合わせたり、あるいは紙面の裏側又は表側において折り返したりして、書類４と媒体取付部材３Ｍとを綴じるものである。
【００７４】
具体的には、図１９の（ａ）及び（ｂ）に示すものでは、例えば一方の縁部近傍にＩＣチップ２を固定してなる長方形形状の媒体取付部材３Ｍを、図示しない押圧具つまり紙ホチキス用の装置により書類４に相寄るように押圧して密着させ、媒体取付部材３Ｍと書類４との両方に押圧により平行な切り込み３Ｍａを入れ、切り込み３Ｍａの間に形成された切り込み片３Ｍｂを書類４の方向に押圧して、切り込み片３Ｍｂが書類４の厚みを突き抜けて、下向きに湾曲した媒体取付部材３Ｍの切り込み片３Ｍｂが書類４の切り込みの間に係合する。また、図１９の（ｃ）及び（ｄ）に示すものでは、上記と同様に、媒体取付部材３Ｍを書類４に相寄るように押圧して密着させ、媒体取付部材３Ｍと書類４との両方に押圧によりコ字形の切り込み３Ｍｃを入れ、切り込み３Ｍｃの間に切り込みにより形成された書類４の切り込み片４ｗを折り曲げて係合させる。なお、切り込み３Ｍａ、３Ｍｃは、直線に形成されたものでもよいが、その全長にわたって細かくジグザグ形状に形成されたものが好ましい。
【００７５】
このように、書類が１枚あるいは複数枚（例えば６枚程度まで）の場合に、ステープル１を用いることなくＩＣチップ２を書類４に媒体取付部材３Ｍにより固定することができる。また、この場合、媒体取付部材３Ｍの書類４からの脱落を困難にするために、媒体取付部材３Ｍの強度を高くして書類との係合を強固にしたり、係合構造を複数箇所に施すことにより、媒体取付部材３Ｍを書類４に強固に取り付けるようにすればよい。
【００７６】
加えて、このように、押圧具により媒体取付部材と物品とを相寄るように押圧してＩＣチップを物品に固定させる構成にあっては、媒体取付部材が粘着性あるいは熱圧着性を有するシールであってもよい。このようなシールからなる媒体取付部材によりＩＣチップを書類に固定する場合、書類が複数枚であれば、その１枚目に媒体取付部材を固定して、別途の手段で書類を綴じるものであっもよい。
【００７７】
その他、各部の具体的構成についても上記実施形態に限られるものではなく、本発明の趣旨を逸脱しない範囲で種々変形及び組み合わせが可能である。
【図面の簡単な説明】
【００７８】
【図１】本発明の実施形態の物品識別子記憶媒体取付装置の斜視図。
【図２】本発明の実施形態のステープルと媒体取付部材との斜視図。
【図３】本発明の実施形態の物品識別子記憶媒体取付装置のブロック図。
【図４】本発明の実施形態における制御の概略を示すフローチャート。
【図５】本発明の実施形態の種類を綴じる場合と綴じた後の媒体取付部材と書類との位置関係を拡大して示す要部斜視図。
【図６】本発明の第二の実施形態の物品識別子記憶媒体取付装置の斜視図。
【図７】本発明の第二の実施形態の構成を示すブロック図。
【図８】本発明の第二の実施形態における媒体取付部材の斜視図。
【図９】本発明の第二の実施形態における制御の概略を示すフローチャート。
【図１０】本発明の第二の実施形態における他の制御の概略を示すフローチャート。
【図１１】本発明における媒体取付部材の変形例の平面図。
【図１２】本発明における媒体取付部材の変形例の平面図。
【図１３】本発明における第三の実施形態における媒体取付部材の平面図。
【図１４】本発明における第三の実施形態における媒体取付部材の取付状態を示す斜視図。
【図１５】本発明における第四の実施形態における物品識別子記憶媒体取付装置のブロック図。
【図１６】本発明における媒体取付部材の変形例の平面図。
【図１７】本発明における媒体取付部材の他の変形例の斜視図。
【図１８】本発明における媒体取付部材のさらに他の変形例の断面図及び斜視図。
【図１９】本発明における媒体取付部材のさらに又別の変形例の斜視図及び断面図。
【符号の説明】
【００７９】
１００，２００，４００…物品識別子記憶媒体取付装置
１…ステープル
２…ＩＣチップ
３，３Ａ，３Ｂ，３Ｃ，３Ｄ，３Ｅ，３Ｆ，３Ｇ、３Ｈ、３Ｋ…媒体取付部材
４…書類
１０３，２０３，４０３…ＣＰＵ
１０４，２０４，４０４…内部メモリ
１０６，２０６，４０６…ステープル綴じ込み装置
１０７，２０７…媒体取付部材供給装置
４１２…識別子読み取り手段
【図１】
2004318812.tif 000003
【図２】
2004318812.tif 000004
【図３】
2004318812.tif 000005
【図４】
2004318812.tif 000006
【図５】
2004318812.tif 000007
【図６】
2004318812.tif 000008
【図７】
2004318812.tif 000009
【図８】
2004318812.tif 000010
【図９】
2004318812.tif 000011
【図１０】
2004318812.tif 000012
【図１１】
2004318812.tif 000013
【図１２】
2004318812.tif 000014
【図１３】
2004318812.tif 000015
【図１４】
2004318812.tif 000016
【図１５】
2004318812.tif 000017
【図１６】
2004318812.tif 000018
【図１７】
2004318812.tif 000019
【図１８】
2004318812.tif 000020
【図１９】
2004318812.tif 000021